(57)【要約】【課題】印刷画像を観察環境において好ましく見えるように補正する。【解決手段】ターゲット環境光の下での印刷画像の色が観察環境光の下で再現されるようにその印刷画像を表す画像データを補正する環境光補正を行うため、ターゲットの環境光情報及び観察環境の環境光情報を取得する（Ｓ１０１）。そして、画像を構成する画素ごとに、ターゲットの環境光情報及び観察環境の環境光情報に対する処理対象画素の画素データの色空間上の位置関係に基づき、環境光補正の度合いを調整するパラメータである補正用環境光情報を設定する（Ｓ１０４）。このようにして、ターゲット環境光の色よりも観察環境光の色に近い色の画素については、観察環境光の色よりもターゲット環境光の色に近い色の画素に比べ、環境光補正の度合いを小さくする。【選択図】図４
2010178150.tif 000002
【特許請求の範囲】
【請求項１】
基準環境光の下での印刷画像の色が観察環境光の下で再現されるようにその印刷画像を表す画像データを補正する補正手段を備える画像処理装置であって、
前記基準環境光の色及び前記観察環境光の色を判断可能な情報である環境光情報を入力する入力手段を備え、
前記補正手段は、前記環境光情報に基づき、前記基準環境光の色よりも前記観察環境光の色に近い色の画素については、前記観察環境光の色よりも前記基準環境光の色に近い色の画素に比べ、前記補正の度合いを小さくすること
を特徴とする画像処理装置。
【請求項２】
前記補正手段は、色空間における前記基準環境光の色の位置及び前記観察環境光の色の位置に基づき特定される前記基準環境光側の領域に属する画素については前記補正の度合いを小さくせず、前記観察環境光側の領域に属する画素については前記補正を行わず、それらの中間領域に属する画素については前記観察環境光の色に近いほど前記補正の度合いを小さくすること
を特徴とする請求項１に記載の画像処理装置。
【請求項３】
前記基準環境光側の領域、前記観察環境光側の領域及び前記中間領域は、ＣＩＥ１９３１ｘｙ色度図上の前記基準環境光の色の位置と前記観察環境光の色の位置とを結ぶ線分の両端を通る垂線を境界線とする領域であること
を特徴とする請求項２に記載の画像処理装置。
【請求項４】
基準環境光の下での印刷画像の色が観察環境光の下で再現されるようにその印刷画像を表す画像データを補正する補正手段を備える画像処理装置としてコンピュータを機能させるための画像処理プログラムであって、
前記基準環境光の色及び前記観察環境光の色を判断可能な情報である環境光情報を入力する入力手段としてコンピュータを機能させ、
前記補正手段は、前記環境光情報に基づき、前記基準環境光の色よりも前記観察環境光の色に近い色の画素については、前記観察環境光の色よりも前記基準環境光の色に近い色の画素に比べ、前記補正の度合いを小さくすること
を特徴とする画像処理プログラム。
【請求項５】
基準環境光の下での印刷画像の色が観察環境光の下で再現されるようにその印刷画像を表す画像データを補正する補正ステップを含む画像処理方法であって、
前記基準環境光の色及び前記観察環境光の色を判断可能な情報である環境光情報を入力する入力ステップを含み、
前記補正ステップでは、前記環境光情報に基づき、前記基準環境光の色よりも前記観察環境光の色に近い色の画素については、前記観察環境光の色よりも前記基準環境光の色に近い色の画素に比べ、前記補正の度合いを小さくすること
を特徴とする画像処理方法。
【発明の詳細な説明】
【技術分野】
【０００１】
本発明は、基準環境光の下での印刷画像の色が観察環境光の下で再現されるようにその印刷画像を表す画像データを補正するための画像処理装置、画像処理プログラム及び画像処理方法に関するものである。
【背景技術】
【０００２】
例えば、店頭にディスプレイされた野菜、果物、魚などの商品をよりよく見せたり、レストランで料理をおいしく見せたりするために、照明の効果が利用されている。一般的に赤いもの（肉や赤い果物など）は色温度の低い照明で照らすと好ましく見え、青いもの（魚など）は色温度の高い照明で照らすと好ましく見える。このように視覚効果を利用して照明を選択することが一般的に行われる。
【０００３】
特許文献１には、色温度の高い青色ＬＥＤと色温度の低い黄色ＬＥＤとの組合せにより昼光色、昼白色、白色、温白色、電球色といった複数の白色を発光可能とした照明器具が示されている。このような照明器具によれば、状況に応じて照明の色温度を調整することが可能となる。
【先行技術文献】
【特許文献】
【０００４】
【特許文献１】特開２００７−２６５８１８号公報
【発明の概要】
【発明が解決しようとする課題】
【０００５】
ところで、観察する環境光が異なると、同じものであっても異なる色として知覚されることも知られており、印刷分野においては、観察する環境光の違いによって生じる印刷画像の色の見え方の違いを、画像データの補正により解消することが検討されている。
【０００６】
しかしながら、このように異なる環境光においても同じ色に見えるようにすること、つまり色の再現性については検討されているが、印刷画像を観察環境において好ましく見えるように補正することについては検討されていなかった。
【０００７】
本発明は、こうした問題にかんがみてなされたものであり、印刷画像を観察環境において好ましく見えるように補正することのできる画像処理装置、画像処理プログラム及び画像処理方法を提供することを目的としている。
【課題を解決するための手段】
【０００８】
上記目的を達成するためになされた本発明の請求項１に記載の画像処理装置は、基準環境光の下での印刷画像の色が観察環境光の下で再現されるようにその印刷画像を表す画像データを補正する補正手段を備えるものである。そして、この画像処理装置は、基準環境光の色及び観察環境光の色を判断可能な情報である環境光情報を入力する入力手段を備え、補正手段は、その環境光情報に基づき、基準環境光の色よりも観察環境光の色に近い色の画素については、観察環境光の色よりも基準環境光の色に近い色の画素に比べ、補正の度合いを小さくする。
【０００９】
このような画像処理装置によれば、観察する環境光の違いによって生じる印刷画像の色の見え方の違いを単に補正するだけでなく、観察環境光の色に近い色の画素については補正の度合いを小さくするため、照明の効果によって画像を好ましく見せることができる。すなわち、基準環境光の色よりも観察環境光の色に近い色の画像は、観察環境光の色よりも基準環境光の色に近い色の画像に比べ、観察環境光の下で好ましく見える。このため、観察環境光の下で好ましく見える色の画像については環境光に基づく補正の度合いを小さくすることで、好ましく見える状態を維持することができる。
【００１０】
具体的には、例えば請求項２に記載のように、補正手段は、色空間における基準環境光の色の位置及び観察環境光の色の位置に基づき特定される基準環境光側の領域に属する画素については補正の度合いを小さくせず、観察環境光側の領域に属する画素については補正を行わず、それらの中間領域に属する画素については観察環境光の色に近いほど補正の度合いを小さくするとよい。
【００１１】
このようにすれば、基準環境光の色及び観察環境光の色に応じて補正の度合いをどの程度小さくするかを適切に設定することができる。特に、中間領域に属する画素については観察環境光の色に近いほど補正の度合いを小さくするようにしているため、単に補正を行うか否かの二値の選択しか行わない場合に比べ、補正後の画像の色を不自然になりにくくすることができる。
【００１２】
この場合、基準環境光側の領域、観察環境光側の領域及び中間領域は、例えば請求項３に記載のように、ＣＩＥ１９３１ｘｙ色度図上の基準環境光の色の位置と観察環境光の色の位置とを結ぶ線分の両端を通る垂線を境界線とする領域とするとよい。このようにすれば、基準環境光側の領域、観察環境光側の領域及びそれらの中間領域を簡易的にかつ適切に設定することができる。
【００１３】
なお、請求項４に記載の画像処理プログラムによれば、請求項１に記載の画像処理装置としてコンピュータを機能させることができ、これにより前述した効果を得ることができる。
【００１４】
また、請求項５に記載の画像処理方法によれば、請求項１に記載の画像処理装置と同様の効果を得ることができる。
【図面の簡単な説明】
【００１５】
【図１】実施形態の通信システムの概略構成を表すブロック図である。
【図２】プリンタドライバのダイアログボックスの説明図である。
【図３】異なる照明下での色の見え方の違いを説明するための説明図である。
【図４】画像印刷処理のフローチャートである。
【図５】補正用環境光情報設定処理のフローチャートである。
【図６】ターゲットの環境光情報及び観察環境の環境光情報に対する処理対象画素の画素データのｘｙ色度図上の位置関係を示す説明図である。
【発明を実施するための形態】
【００１６】
以下、本発明が適用された実施形態について、図面を用いて説明する。
【００１７】
［１．全体構成］
図１は、パーソナルコンピュータ（ＰＣ）１と複合機２とがデータ通信可能に構成された通信システムの概略構成を表すブロック図である。
【００１８】
パーソナルコンピュータ１は、汎用の情報処理装置であり、制御部１１、記憶部１２、通信部１３、操作部１４及び表示部１５を備えている。
【００１９】
制御部１１は、パーソナルコンピュータ１の各部を統括制御するものであり、ＣＰＵ１１１、ＲＯＭ１１２及びＲＡＭ１１３を備えている。
【００２０】
記憶部１２は、記憶データを書き換え可能な不揮発性の記憶装置であり、本実施形態ではハードディスク装置が用いられている。そして、記憶部１２には、オペレーティングシステム（ＯＳ）１２１、画像閲覧ソフト等のアプリケーションを実行するためのアプリケーションプログラム１２２、パーソナルコンピュータ１から複合機２を利用可能とするためのソフトウェア（プログラム）であるプリンタドライバ１２３などがインストールされている。
【００２１】
通信部１３は、複合機２との間でデータ通信を行うためのインタフェースである。
【００２２】
操作部１４は、ユーザからの外部操作による指令を入力するための入力装置であり、本実施形態ではキーボードやポインティングデバイス（マウスやタッチパッド等）が用いられている。
【００２３】
表示部１５は、各種情報をユーザが視認可能な画像として表示するための出力装置であり、本実施形態では液晶ディスプレイが用いられている。
【００２４】
一方、複合機２は、プリンタ機能に加え、スキャナ機能やカラーコピー機能等を有する印刷装置であり、制御部２１、記憶部２２、通信部２３、操作部２４、表示部２５、読取部２６及び印刷部２７を備えている。
【００２５】
制御部２１は、複合機２の各部を統括制御するものであり、ＣＰＵ２１１、ＲＯＭ２１２及びＲＡＭ２１３を備えている。
【００２６】
記憶部２２は、記憶データを書き換え可能な不揮発性の記憶装置であり、本実施形態ではフラッシュメモリが用いられている。そして、記憶部２２には、後述する処理（図４、図５）をＣＰＵ２１１に実行させるためのプログラムが記憶されている。
【００２７】
通信部２３は、パーソナルコンピュータ１との間でデータ通信を行うためのインタフェースである。
【００２８】
操作部２４は、ユーザからの外部操作による指令を入力するための入力装置であり、各種操作ボタンを備えている。
【００２９】
表示部２５は、各種情報をユーザが視認可能な画像として表示するための出力装置であり、小型の液晶ディスプレイが用いられている。
【００３０】
読取部２６は、所定の原稿読取位置にセットされた原稿から画像を読み取り、この画像を表す画像データ（具体的にはＲＧＢ表色系で表現された画像データ）を生成するものである。
【００３１】
印刷部２７は、シアン（Ｃ）、マゼンタ（Ｍ）、イエロー（Ｙ）及びブラック（Ｋ）の各色インクを印刷媒体としての用紙に吐出することでカラー画像を印刷するものである。
【００３２】
［２．通信システムで実行される処理の概要］
次に、本実施形態の通信システムで実行される処理の概要について説明する。
【００３３】
パーソナルコンピュータ１では、実行中のアプリケーションにおいて印刷操作が行われることによりプリンタドライバ１２３が起動し、印刷条件を設定するためのダイアログボックスが表示部１５に表示される。このダイアログボックスにおいて印刷条件の設定が行われると、パーソナルコンピュータ１（プリンタドライバ１２３）から複合機２に対して印刷指示が行われるとともに、印刷対象の画像を表す画像データ（具体的にはＲＧＢ表色系で表現された画像データ）が複合機２へ送信される。複合機２では、パーソナルコンピュータ１から印刷指示とともに受信した画像データ（ＲＧＢデータ）を、インクの色に対応したＣＭＹＫ表色系の画像データに変換する色変換処理を行い、変換後の画像データ（ＣＭＹＫデータ）に基づき画像を印刷する。
【００３４】
ここで、本実施形態の複合機２は、基準となる環境光（ターゲット環境光）及び印刷物を観察する環境光（観察環境光）をユーザに設定させることにより、ターゲット環境光の下での印刷画像の色が観察環境光の下で再現されるように画像データを補正する環境光補正を行った上で、画像を印刷する。
【００３５】
具体的には、図２に示すように、プリンタドライバ１２３のダイアログボックスにおいて、ターゲット環境光（ターゲット照明）及び観察環境光（観察照明）の各情報をユーザが設定できるようにする。この例では、ターゲット照明及び観察照明のそれぞれについて、「色温度」による設定方法及び「ＸＹＺ値」による設定方法のうちいずれか一方をラジオボタン３１，４１で選択するようになっている。そして、「色温度」による設定方法を選択した場合には、照明の色温度をプルダウンボックス３２，４２から選択し、「ＸＹＺ値」による設定方法を選択した場合には、ＸＹＺ値の具体的な数値を数値入力ボックス３３，４３に入力する。
【００３６】
こうして設定されたターゲット照明及び観察照明の情報は、パーソナルコンピュータ１（プリンタドライバ１２３）から複合機２へターゲットの環境光情報（Ｘｔ，Ｙｔ，Ｚｔ）及び観察環境の環境光情報（Ｘｏ，Ｙｏ，Ｚｏ）として印刷指示とともに送信される。ここで、プルダウンボックス３２，４２から選択可能な色温度については、その色温度に対応するＸＹＺ値があらかじめ記憶されており、そのＸＹＺ値が複合機２へ送信される。つまり、いずれの設定方法が選択されても、ターゲット環境光の色及び観察環境光の色を表すＸＹＺ値が送信されるようになっている。なお、ＸＹＺ値は、０〜１００の範囲の値を０〜１の範囲の値に正規化して用いられる。
【００３７】
このようにターゲット環境光及び観察環境光をユーザに設定させて環境光補正を行うことにより、観察する環境光の違いによって生じる印刷画像の色の見え方の違いが緩和されることになる。
【００３８】
そして特に、本実施形態の複合機２は、印刷画像を観察環境において好ましく見えるようにするため、印刷画像の色に応じて環境光補正の効果を緩和させることを特徴としている。
【００３９】
すなわち、前述したように、一般的に赤いもの（肉や赤い果物など）は色温度の低い照明で照らすと好ましく見え、青いもの（魚など）は色温度の高い照明で照らすと好ましく見える。このため、例えば図３（ａ）に示すような魚（青いもの）と肉（赤いもの）とが混在する画像の印刷物は、色温度の低い照明下では、肉の赤い色は好ましく見えるが魚の青い色はくすんで見え（図３（ｂ））、逆に、色温度の高い照明下では、魚の青い色は好ましく見えるが肉の赤い色はくすんで見える。
【００４０】
そこで、本実施形態の複合機２では、観察照明の効果によって画像の見えの劣化する部分はターゲット環境光の下での見えと同じに見えるように環境光補正（通常の環境光補正）を行い、観察照明の効果によって好ましく見える部分は環境光補正の補正量を小さく調整することで、観察環境光の下において好ましく見える状態を維持する補正を行う。なお、「環境光補正の補正量を小さくする」とは、補正量を０にすること、つまり環境光補正自体を行わないようにすることも含む。
【００４１】
具体的には、例えば魚（青いもの）と肉（赤いもの）とが混在する画像の印刷物（図３（ａ））を、ターゲット照明の色温度よりも低い暖色系の観察照明の下で見ると、魚はくすんで見えるが肉は好ましく見える（図３（ｂ））。そこで、画像における肉の部分は環境光補正の補正量を小さく調整することで、観察環境光の下において好ましく見える状態を維持することができる（図３（ｃ））。
【００４２】
［３．複合機が実行する処理］
次に、複合機２で実行される具体的な処理手順について説明する。
【００４３】
図４は、パーソナルコンピュータ１から印刷指示を受けることにより複合機２の制御部２１（具体的にはＣＰＵ２１１）が実行する画像印刷処理のフローチャートである。
【００４４】
制御部２１は、この画像印刷処理を開始すると、まずＳ１０１で、ターゲットの環境光情報（Ｘｔ，Ｙｔ，Ｚｔ）及び観察環境の環境光情報（Ｘｏ，Ｙｏ，Ｚｏ）を取得する。なお、これらの情報は、前述したように、パーソナルコンピュータ１でユーザにより設定される。
【００４５】
続いて、Ｓ１０２では、パーソナルコンピュータ１から受信した画像データ（ＲＧＢデータ）の表す画像を構成する画素であって、後述するＳ１０３〜Ｓ１１０の処理を行っていないもののうちの１つを処理対象画素として特定し、その画素データ（Ｒｉ，Ｇｉ，Ｂｉ）を読み込む。
【００４６】
続いて、Ｓ１０３では、処理対象画素の画素データを、入力デバイスプロファイル（パーソナルコンピュータ１の表示部１５のデバイスプロファイル）を使用してＲＧＢ値からデバイスに依存しない色空間の値（本実施形態ではＸＹＺ値（Ｘｉ，Ｙｉ，Ｚｉ））に変換する。
【００４７】
続いて、Ｓ１０４では、ターゲットの環境光情報及び観察環境の環境光情報に対する処理対象画素の画素データの色空間上の位置関係に基づき、次のＳ１０５で用いる補正用環境光情報（Ｘｅ，Ｙｅ，Ｚｅ）を設定する補正用環境光情報設定処理を行う。この補正用環境光情報設定処理の具体的な内容については後述するが（図５）、この処理により、処理対象画素の画素データの色空間上の位置がターゲットの環境光情報寄りの場合には、補正用環境光情報がターゲットの環境光情報又はそれに近い値に設定され、逆に観察環境の環境光情報寄りの場合には、補正用環境光情報が観察環境の環境光情報又はそれに近い値に設定される。
【００４８】
続いて、Ｓ１０５では、Ｓ１０４で設定された補正用環境光情報を用いて、処理対象画素の画素データ（ＸＹＺ値）を色の見え空間における値であるＣＩＥＣＡＭ０２値（Ｊｉ，Ｃａｉ，Ｃｂｉ）に変換する。
【００４９】
続いて、Ｓ１０６では、処理対象画素の画素データが出力デバイス（複合機２の印刷部２７）の色域外であるか否かを判定する。
【００５０】
そして、Ｓ１０６で、出力デバイスの色域外であると判定した場合には、Ｓ１０７へ移行し、ガマットマッピングを行う。その後、Ｓ１０８へ移行する。なお、ガマットマッピングは公知の手法で行うことができる。
【００５１】
一方、Ｓ１０６で、出力デバイスの色域外でないと判定した場合には、そのままＳ１０８へ移行する。
【００５２】
Ｓ１０８では、観察環境の環境光情報を用いて、処理対象画素の画素データ（ＣＩＥＣＡＭ０２値）をＸＹＺ値（Ｘｏ，Ｙｏ，Ｚｏ）に変換する。ここで、ＸＹＺ値からＣＩＥＣＡＭ０２値への変換（Ｓ１０５）では、補正用環境光情報を用いて色変換処理を行っていることから、補正用環境光情報で表される環境光の下での印刷画像の色が観察環境光の下で再現されるようにその印刷画像を表す画像データに対して環境光補正が行われることになる。例えば、補正用環境光情報がターゲットの環境光情報であれば、ターゲット環境光の下での印刷画像の色が観察環境光の下で再現されるような環境光補正（通常の環境光補正）が行われる。一方、補正用環境光情報が観察環境の環境光情報であれば、ＸＹＺ値からＣＩＥＣＡＭ０２値への変換とＣＩＥＣＡＭ０２値からＸＹＺ値への変換とで同一の環境光情報が用いられることになるため、環境光補正の補正量が０となる（環境光補正が行われない）。
【００５３】
具体的には、前述したように、処理対象画素の画素データの色空間上の位置がターゲットの環境光情報寄りの場合には、補正用環境光情報がターゲットの環境光情報又はそれに近い値に設定され、逆に観察環境の環境光情報寄りの場合には、補正用環境光情報が観察環境の環境光情報又はそれに近い値に設定される。したがって、処理対象画素の画素データの色空間上の位置が観察環境の環境光情報寄りの場合には、ターゲットの環境光情報寄りの場合に比べ、環境光補正の度合いが小さくなる。
【００５４】
続いて、Ｓ１０９では、処理対象画素の画素データを、出力デバイスプロファイルを使用してＸＹＺ値からデバイスに依存する色空間の値であるＲＧＢ値（Ｒｏ，Ｇｏ，Ｂｏ）に変換する。
【００５５】
続いて、Ｓ１１０では、処理対象画素の画素データを、三次元ＬＵＴ（Ｌｏｏｋ−Ｕｐ−Ｔａｂｌｅ）を使用してＲＧＢ値からＣＭＹＫ値（Ｃｏ，Ｍｏ，Ｙｏ，Ｋｏ）に変換する。
【００５６】
続いて、Ｓ１１１では、画像データを構成するすべての画素についてＳ１０３〜Ｓ１１０の処理が終了したか否かを判定する。
【００５７】
そして、Ｓ１１１で、処理が終了していないと判定した場合には、Ｓ１０２へ戻り、未処理の画素のうちの１つを新たに処理対象画素として特定し、Ｓ１０３〜Ｓ１１０の処理を行う。
【００５８】
一方、Ｓ１１１で、処理が終了したと判定した場合には、Ｓ１１２へ移行し、画像データの表す画像を印刷する処理を行う。その後、本画像印刷処理を終了する。
【００５９】
次に、前述した画像印刷処理のＳ１０４で実行される補正用環境光情報設定処理について、図５のフローチャートを用いて説明する。
【００６０】
制御部２１は、この補正用環境光情報設定処理を開始すると、まずＳ２０１で、ターゲットの環境光情報（Ｘｔ，Ｙｔ，Ｚｔ）及び観察環境の環境光情報（Ｘｏ，Ｙｏ，Ｚｏ）に対する処理対象画素の画素データ（Ｘｉ，Ｙｉ，Ｚｉ）の色空間（ＣＩＥ１９３１ｘｙ色度図）上における位置を判定する。具体的には、図６に示すように、ｘｙ色度図上におけるターゲットの環境光情報の位置Ｐｔと観察環境の環境光情報の位置Ｐｏとを結ぶ線分に対して垂直であってＰｔ及びＰｏのそれぞれを通る２つの直線（照明の影響が切り替わるライン）を境界線とする３つの領域のうちのいずれに処理対象画素の画素データＰｉが属するかを判定する。これら３つの領域のうち、Ｐｔ側の領域を領域Ａ、Ｐｏ側の領域を領域Ｃ、その中間領域を領域Ｂと呼ぶ。なお、ＰｔとＰｏとを直線（線分）で結んでいるのは、黒体放射軌跡の一部は直線で近似できると考えられるからである。
【００６１】
そして、Ｓ２０１で、処理対象画素の画素データＰｉが領域Ａに属すると判定した場合には、Ｓ２０２へ移行し、補正用環境光情報をターゲットの環境光情報に設定する（下記式（１））。その後、本補正用環境光情報設定処理を終了する。
【００６２】
（Ｘｅ，Ｙｅ，Ｚｅ）＝（Ｘｔ，Ｙｔ，Ｚｔ）  …式（１）
また、Ｓ２０１で、処理対象画素の画素データＰｉが領域Ｂに属すると判定した場合には、Ｓ２０３へ移行し、補正用環境光情報をターゲットの環境光情報と観察環境の環境光情報との補間により設定する（下記式（２））。その後、本補正用環境光情報設定処理を終了する。
【００６３】
（Ｘｅ，Ｙｅ，Ｚｅ）
＝｛（ｄ−ｔ）×（Ｘｔ，Ｙｔ，Ｚｔ）＋ｔ×（Ｘｏ，Ｙｏ，Ｚｏ）｝／ｄ  …式（２）
一方、Ｓ２０１で、処理対象画素の画素データＰｉが領域Ｃに属すると判定した場合には、Ｓ２０４へ移行し、補正用環境光情報を観察環境の環境光情報に設定する（下記式（３））。その後、本補正用環境光情報設定処理を終了する。
【００６４】
（Ｘｅ，Ｙｅ，Ｚｅ）＝（Ｘｏ，Ｙｏ，Ｚｏ）  …式（３）
このように補正用環境光情報を設定することで、処理対象画素の画素データＰｉがターゲット環境光側の領域Ａに属する場合には環境光補正の度合いが小さくならず、逆に観察環境光側の領域Ｃに属する場合には補正の度合いが最大となることにより環境光補正が行われず、一方それらの中間領域Ｂに属する場合には観察環境光の色に近いほど環境光補正の度合いが小さくなる。
【００６５】
［４．効果］
以上説明したように、本実施形態の複合機２は、ターゲット環境光の下での印刷画像の色が観察環境光の下で再現されるようにその印刷画像を表す画像データを補正する環境光補正を行う。ここで、画像データの表す画像を構成する画素のうち、ターゲット環境光の色よりも観察環境光の色に近い色の画素については、観察環境光の色よりもターゲット環境光の色に近い色の画素に比べ、環境光補正の度合いを小さくする。
【００６６】
このため、本実施形態の複合機２によれば、観察する環境光の違いによって生じる印刷画像の色の見え方の違いを単に補正するだけでなく、観察環境光の色に近い色の画素については補正の度合いを小さくするため、照明の効果によって画像を好ましく見せつつ、照明によって画像の見えが劣化するのを抑えることができる。すなわち、ターゲット環境光の色よりも観察環境光の色に近い色の画像は、観察環境光の色よりもターゲット環境光の色に近い色の画像に比べ、観察環境光の下で好ましく見える。逆に、観察環境光の色よりもターゲット環境光の色に近い色の画像は、ターゲット環境光の色よりも観察環境光の色に近い色の画像に比べ、観察環境光の下で劣化して見える。このため、観察環境光の下で好ましく見える色の画像については環境光補正の度合いを小さくすることで、好ましく見える状態を維持しつつ、観察環境光の下で劣化して見える色の画像については環境光補正により劣化を抑えることができる。
【００６７】
また、本実施形態では、ターゲットの環境光情報及び観察環境の環境光情報に対する処理対象画素の画素データの色空間上の位置関係に基づき、環境光補正の度合いを調整するパラメータである補正用環境光情報を設定するようにしているため、環境光補正の度合いを適切に設定することができる。特に、中間領域Ｂに属する画素については観察環境光の色に近いほど環境光補正の度合いを小さくするようにしているため、単に環境光補正を行うか否かの二値の選択しか行わない場合に比べ、環境光補正後の画像の色を不自然になりにくくすることができる。
【００６８】
［５．特許請求の範囲との対応］
なお、本実施形態では、複合機２が本発明の画像処理装置に相当し、Ｓ１０１の処理を実行する制御部２１が本発明の入力手段に相当し、Ｓ１０２〜Ｓ１１１の処理を実行する制御部２１が本発明の補正手段に相当する。
【００６９】
［６．他の形態］
以上、本発明の実施形態について説明したが、本発明は、上記実施形態に限定されることなく、種々の形態を採り得ることは言うまでもない。
【００７０】
［６−１．色空間］
上記実施形態では、ＲＧＢ値をＣＩＥＣＡＭ０２値に色変換した上でガマットマッピングを行うようにしているが、ガマットマッピングを行う色空間はＣＩＥＣＡＭ０２に限定されるものではなく、均等色空間であればよい。なお、均等色空間とは、人間が知覚する色差と空間内のユークリッド距離とがほぼ一致するように作成された色空間のことであり、例えばＣＩＥＬＡＢ空間やＣＩＥＬＵＶ空間などが知られている。
【００７１】
［６−２．画像印刷処理］
上記実施形態では、Ｓ１０１〜Ｓ１１２の処理順序で画像印刷処理を行う構成を例示したが、これに限定されるものではない。例えば、Ｓ１０３〜Ｓ１１０の処理を施す前の画素データと施した後の画素データとの対応関係をＬＵＴとしてあらかじめ作成しておけば、処理を簡略化することができる。
【００７２】
［６−３．画像データ］
上記実施形態では、ＲＧＢ表色系で表現された画像データが複合機２に入力される構成を例示したが、これに限定されるものではなく、他の表色系で表現された画像データが入力される構成であっても本発明を適用することができる。
【００７３】
また、画像データは、パーソナルコンピュータ１から送信されるものである必要はない。例えば、読取部２６で生成した画像データであってもよく、また、複合機２がメモリカード等の可搬型記憶媒体から直接画像データを読み込み可能に構成されている場合には、その画像データであってもよい。なお、複合機２にパーソナルコンピュータ１が接続されていなくても環境光補正の処理を可能とするため、ターゲットの環境光情報及び観察環境の環境光情報の設定を複合機２で行うようにしてもよい。
【００７４】
［６−４．環境光情報］
上記実施形態では、ターゲットの環境光情報及び観察環境の環境光情報をユーザに色温度又はＸＹＺ値で設定させるようにしているが、これに限定されるものではなく、例えば照明の種類（蛍光灯、白熱灯など）を設定させるようにしてもよい。このようにすれば、色温度を設定するよりも分かりやすくすることができる。
【００７５】
また、ターゲットの環境光情報及び観察環境の環境光情報はユーザに設定させることに限定されるものではなく、例えば、複合機２に環境光を測定するセンサを設け、その測定値に基づき自動的に設定するようにしてもよい。具体的には、例えばターゲットの環境光情報についてはセンサで測定し、観察環境の環境光情報についてはユーザに設定させるようにしてもよい。
【００７６】
［６−５．印刷部］
上記実施形態では、ＣＭＹＫの４色のインクを用いて画像を印刷するインクジェット方式の印刷部２７を例に挙げて説明したが、これに限定されるものではなく、例えばより多くの色のインクを用いる構成とすることも可能である。また、色材はインクに限定されるものではなく、例えば複数色のトナーを用いて画像を形成するレーザ転写方式であってもよい。
【００７７】
［６−６．画像処理装置］
上記実施形態では、本発明の画像処理装置として複合機２を例示したが、これに限定されるものではなく、スキャナ機能等を有しない印刷装置であってもよい。また、印刷装置に限定されるものではなく、例えばパーソナルコンピュータ１を本発明の画像処理装置として機能させることも可能である。この場合、例えばＳ１０１〜Ｓ１１１の処理をパーソナルコンピュータ１においてプリンタドライバ１２３の機能として実行し、処理後の画像データを複合機２へ送信して印刷させるようにすることができる。
【符号の説明】
【００７８】
１…パーソナルコンピュータ、２…複合機、１１…制御部、１２…記憶部、１３…通信部、１４…操作部、１５…表示部、２１…制御部、２２…記憶部、２３…通信部、２４…操作部、２５…表示部、２６…読取部、２７…印刷部
【図１】
2010178150.tif 000003
【図４】
2010178150.tif 000004
【図５】
2010178150.tif 000005
【図６】
2010178150.tif 000006
【図２】
2010178150.tif 000007
【図３】
2010178150.tif 000008